(57)【要約】  【課題】  漏れ流量を低減することができ、ポンプ効率を向上させることのできるポンプを提供する。  【解決手段】  ポンプ１は、流体が軸方向から吸込まれて半径方向から吐出される羽根車１１と、羽根車１１を収容するケーシング１２と、羽根車１１とケーシング１２との間の隙間に取り付けられるライナリング１３を備える。ライナリング１３は、羽根車１１の半径方向外側の位置に配置されている。羽根車１１の半径方向外側の位置は、半径方向内側の位置に比べて静圧差が小さいので、半径方向内側の位置にライナリング１３を配置した場合に比べて漏れ流量を低減することができ、ポンプ効率を向上させることができる。【選択図】  図１
2017180241.tif 000002
【特許請求の範囲】
【請求項１】
流体が軸方向から吸込まれて半径方向から吐出される羽根車と、
前記羽根車を収容するケーシングと、
前記羽根車と前記ケーシングとの間の隙間に取り付けられるライナリングと、
を備え、
前記ライナリングは、前記羽根車の半径方向外側の位置に配置されている、ポンプ。
【請求項２】
前記ライナリングは、前記羽根車の半径方向外側の外周面に接触するように取り付けられ、前記羽根車の外周面に対向する前記ケーシングの内周面に接触している、請求項１に記載のポンプ。
【請求項３】
前記ライナリングは、前記羽根車の半径方向外側の軸方向側面に接触するように取り付けられ、前記羽根車の軸方向側面に対向する前記ケーシングの内面に接触している、請求項１に記載のポンプ。
【請求項４】
前記ライナリングは、前記羽根車の半径方向外側の外周面と軸方向側面とに接触するように取り付けられ、前記羽根車の外周面に対向する前記ケーシングの内周面と前記羽根車の軸方向側面に対向する前記ケーシングの内面とに接触している、請求項１に記載のポンプ。
【請求項５】
流体が軸方向から吸込まれて半径方向から吐出される羽根車と、前記羽根車を収容するケーシングとを備えたポンプに用いられるライナリングであって、
前記羽根車と前記ケーシングとの間の隙間に取り付けられ、前記羽根車の半径方向外側の位置に配置されている、ライナリング。
【発明の詳細な説明】
【技術分野】
【０００１】
本発明は、ポンプと、ポンプに用いられるライナリングに関する。
【背景技術】
【０００２】
従来から、上下水道や農業用などのポンプ設備で、両吸込み羽根車を備えた横軸渦巻ポンプ（いわゆる横軸両吸込渦巻ポンプ）が使用されている。従来の両吸込渦巻ポンプでは、羽根車とケーシングとの間の隙間にライナリングが備えられている（例えば特許文献１参照）。ライナリングは、吐出し側と吸込み側の区切りとしての役割を有している。また、ライナリングは、可動部と静止部の区切りとしての役割を有している。ライナリングを設けて隙間を少なくことにより、漏れ流量の低減やポンプ効率の向上が図られている。
【先行技術文献】
【特許文献】
【０００３】
【特許文献１】特開２０１４−３７８０７号公報
【発明の概要】
【発明が解決しようとする課題】
【０００４】
しかしながら、従来のポンプにおいては、ライナリングが、羽根車の半径方向内側（吸込み位置の近く）に設けられている。羽根車の半径方向内側は、静圧差が大きいため、何らかの対策を講じないと漏れ流量が大きくなり、ポンプ効率が低下するという問題があった。漏れ流量を低減するためには、精密な機械加工（高い寸法精度）や組立精度が要求され、ポンプの高コスト化につながる。
【０００５】
本発明は、上記の課題に鑑みてなされたもので、漏れ流量を低減することができ、ポンプ効率を向上させることのできるポンプを提供することを目的とする。
【課題を解決するための手段】
【０００６】
本発明のポンプは、流体が軸方向から吸込まれて半径方向から吐出される羽根車と、前記羽根車を収容するケーシングと、前記羽根車と前記ケーシングとの間の隙間に取り付けられるライナリングと、を備え、前記ライナリングは、前記羽根車の半径方向外側の位置に配置されている。
【０００７】
この構成によれば、羽根車とケーシングとの間の隙間に取り付けられるライナリングが、羽根車の半径方向外側の位置に配置されている。羽根車の半径方向外側の位置は、半径方向内側の位置に比べて静圧差が小さい。したがって、従来のように半径方向内側の位置にライナリングを配置した場合に比べて漏れ流量を低減することができ、ポンプ効率を向上させることができる。この場合、静圧差が小さい位置にライナリングを配置しているので、従来のように半径方向内側の位置にライナリングを配置した場合に比べて許容される隙間が大きい。したがって、高い寸法精度や組立て精度が要求されず、低コスト化を図ることができる。また、許容される隙間が大きいので、ライナリングの交換頻度が低くて済み、メンテナンスコストを削減することができる。
【０００８】
また、本発明のポンプでは、前記ライナリングは、前記羽根車の半径方向外側の外周面に接触するように取り付けられ、前記羽根車の外周面に対向する前記ケーシングの内周面に接触してもよい。
【０００９】
この構成によれば、羽根車の半径方向外側の位置において、ライナリングが、羽根車の外周面とケーシングの内周面との間の隙間に取り付けられる。これにより、従来のように半径方向内側の位置にライナリングを配置した場合に比べて漏れ流量を低減することができ、ポンプ効率を向上させることができる。
【００１０】
また、本発明のポンプでは、前記ライナリングは、前記羽根車の半径方向外側の軸方向側面に接触するように取り付けられ、前記羽根車の軸方向側面に対向する前記ケーシングの内面に接触してもよい。
【００１１】
この構成によれば、羽根車の半径方向外側の位置において、ライナリングが、羽根車の軸方向側面とケーシングの内面との間の隙間に取り付けられる。これにより、従来のように半径方向内側の位置にライナリングを配置した場合に比べて漏れ流量を低減することができ、ポンプ効率を向上させることができる。
【００１２】
また、本発明のポンプでは、前記ライナリングは、前記羽根車の半径方向外側の外周面と軸方向側面とに接触するように取り付けられ、前記羽根車の外周面に対向する前記ケーシングの内周面と前記羽根車の軸方向側面に対向する前記ケーシングの内面とに接触してもよい。
【００１３】
この構成によれば、羽根車の半径方向外側の位置において、ライナリングが、羽根車の外周面とケーシングの内周面との間の隙間に取り付けられるとともに、羽根車の軸方向側面とケーシングの内面との間の隙間に取り付けられる。これにより、従来のように半径方向内側の位置にライナリングを配置した場合に比べて漏れ流量を低減することができ、ポンプ効率を向上させることができる。
【００１４】
本発明のライナリングは、流体が軸方向から吸込まれて半径方向から吐出される羽根車と、前記羽根車を収容するケーシングとを備えたポンプに用いられるライナリングであって、前記羽根車と前記ケーシングとの間の隙間に取り付けられ、前記羽根車の半径方向外側の位置に配置されている。
【００１５】
このライナリングも、羽根車の半径方向外側の位置に配置されている。羽根車の半径方向外側の位置は、半径方向内側の位置に比べて静圧差が小さい。したがって、従来のように半径方向内側の位置にライナリングを配置した場合に比べて漏れ流量を低減することができ、ポンプ効率を向上させることができる。この場合、静圧差が小さい位置にライナリングを配置しているので、従来のように半径方向内側の位置にライナリングを配置した場合に比べて許容される隙間が大きい。したがって、高い寸法精度や組立て精度が要求されず、低コスト化を図ることができる。また、許容される隙間が大きいので、ライナリングの交換頻度が低くて済み、メンテナンスコストを削減することができる。
【発明の効果】
【００１６】
本発明によれば、ライナリングを羽根車の半径方向外側の位置に配置することによって、漏れ流量を低減することができ、ポンプ効率を向上させることができる。
【図面の簡単な説明】
【００１７】
【図１】本発明の実施の形態におけるポンプの断面図である。
【図２】本発明の実施の形態におけるポンプの要部を拡大した図である。
【図３】本発明の実施の形態におけるポンプの変形例の要部を拡大した図である。
【図４】本発明の実施の形態におけるポンプの他の変形例の要部を拡大した図である。
【発明を実施するための形態】
【００１８】
以下、本発明の実施の形態のポンプについて、図面を用いて説明する。本実施の形態では、両吸込み羽根車を備えた横軸渦巻ポンプ（横軸両吸込渦巻ポンプ）の場合を例示する。横軸両吸込渦巻ポンプは、例えば上下水道や農業用等のポンプ設備に用いられる。
【００１９】
本発明の実施の形態のポンプの構成を、図面を参照して説明する。図１は、本実施の形態のポンプを示す断面図であり、図２は、ポンプの要部を拡大した図である。図１に示すように、本実施の形態によるポンプ１０は、流体が軸方向から吸込まれて半径方向から吐出される羽根車１１と、羽根車１１を収容するケーシング１２と、羽根車１１とケーシング１２との間の隙間に取り付けられるライナリング１３を備えている。
【００２０】
ケーシング１２は、上ケーシング１２ａと下ケーシング１２ｂの２つに分割可能である。上ケーシング１２ａと下ケーシング１２ｂとは、互いに向かい合わされた状態で、ボルトを用いて互いに締結されている。
【００２１】
羽根車１１は、略円板形状を有しており、図示された例では、中心軸線が左右方向と平行にされた姿勢にて、上ケーシング１２ａと下ケーシング１２ｂとの間に配置されている。羽根車１１の中心には、羽根車１１の中心軸線に沿って左右両側に延びるように主軸１４が設けられている。この主軸１４は、ケーシング１２上に軸受を介して両持ちで支持されている。
【００２２】
主軸１４の一端部（図１における右端部）はケーシング１２の外側まで延ばされて、回転動力を伝達する電動機（不図示）に接続されている。電動機からの回転動力により主軸１４と羽根車１１とがケーシング１２の内部にて一体に回転されると、ケーシング１２の内部の流体は、羽根車１１の左右の吸込み口から吸い込まれて、羽根車１１の外周の吐出し口から吐き出される。
【００２３】
図２に示すように、ライナリング１３は、羽根車１１の半径方向外側（図２における上側）の位置に配置されている。この場合、ライナリング１３は、羽根車１１の半径方向外側の外周面（図２における上側面）に接触するように取り付けられ、羽根車１１の外周面に対向するケーシング１２の内周面（図２における下側面）に接触している。ライナリング１３は、金属製のリング状部材である。ライナリング１３の材質としては、例えば銅合金やステンレスが用いられる。
【００２４】
つぎに、ポンプ１０の組み立て方法を説明する。まず、羽根車１１の半径方向外側の位置にライナリング１３が被せられ、羽根車１１とライナリング１３が一緒に下ケーシング１２ｂの内側に収容される。ライナーリングは、ケーシング１２の内部にて回転しないように、ノックピンを用いて下ケーシング１２ｂに対して固定される。続いて、上ケーシング１２ａが羽根車１１を覆うように被せられ、上ケーシング１２ａと下ケーシング１２ｂがボルトを用いて互いに締結される。
【００２５】
このような本実施の形態のポンプ１０では、羽根車１１とケーシング１２との間の隙間に取り付けられるライナリング１３が、羽根車１１の半径方向外側の位置に配置されている。この場合、羽根車１１の半径方向外側の位置において、ライナリング１３が、羽根車１１の外周面とケーシング１２の内周面との間の隙間に取り付けられている。羽根車１１の半径方向外側の位置は、半径方向内側の位置に比べて静圧差が小さい。したがって、従来のように半径方向内側の位置にライナリング１３を配置した場合に比べて漏れ流量を低減することができ、ポンプ効率を向上させることができる。
【００２６】
また、本実施の形態のポンプ１０では、静圧差が小さい位置にライナリング１３を配置しているので、従来のように半径方向内側の位置にライナリング１３を配置した場合に比べて許容される隙間が大きい。したがって、高い寸法精度や組立て精度が要求されず、低コスト化を図ることができる。また、許容される隙間が大きいので、ライナリング１３の交換頻度が低くて済み、メンテナンスコストを削減することができる。
【００２７】
以上、本発明の実施の形態を例示により説明したが、本発明の範囲はこれらに限定されるものではなく、請求項に記載された範囲内において目的に応じて変更・変形することが可能である。
【００２８】
例えば、図３には、ポンプ１０の変形例が示される。図３の例では、ライナリング１３が、羽根車１１の半径方向外側の軸方向側面（図３における左側面）に接触するように取り付けられ、羽根車１１の軸方向側面に対向するケーシング１２の内面（図３における右側面）に接触している。
【００２９】
この場合も、羽根車１１の半径方向外側の位置において、ライナリング１３が、羽根車１１の軸方向側面とケーシング１２の内面との間の隙間に取り付けられている。したがって、従来のように半径方向内側の位置にライナリング１３を配置した場合に比べて漏れ流量を低減することができ、ポンプ効率を向上させることができる。
【００３０】
また、図４には、ポンプ１０の他の変形例が示される。図４の例では、断面Ｌ字状のライナリング１３が、羽根車１１の半径方向外側の外周面（図４における上側面）と軸方向側面（図４における左側面）とに接触するように取り付けられ、羽根車１１の外周面に対向するケーシング１２の内周面（図４における下側面）と羽根車１１の軸方向側面に対向するケーシング１２の内面（図４における右側面）とに接触している。
【００３１】
この場合も、羽根車１１の半径方向外側の位置において、ライナリング１３が、羽根車１１の外周面とケーシング１２の内周面との間の隙間に取り付けられるとともに、羽根車１１の軸方向側面とケーシング１２の内面との間の隙間に取り付けられている。したがって、従来のように半径方向内側の位置にライナリング１３を配置した場合に比べて漏れ流量を低減することができ、ポンプ効率を向上させることができる。
【産業上の利用可能性】
【００３２】
以上のように、本発明にかかるポンプは、漏れ流量を低減することができ、ポンプ効率を向上させることができるという効果を有し、上下水道や農業用のポンプ設備等に用いられ、有用である。
【符号の説明】
【００３３】
１０  ポンプ
１１  羽根車
１２  ケーシング
１２ａ  上ケーシング
１２ｂ  下ケーシング
１３  ライナリング
１４  主軸
【図１】
2017180241.tif 000003
【図２】
2017180241.tif 000004
【図３】
2017180241.tif 000005
【図４】
2017180241.tif 000006